【事件の表示】
　特願２００１−　４８４２３「ビデオ装置」拒絶査定不服審判事件〔平成１３年１１月　９日出願公開、特開２００１−３１３８９２〕について、次のとおり審決する。
【結　論】
　本件審判の請求は、成り立たない。
【理　由】
第１．経緯等
１．経緯
　本件出願は、１９９７年１１月２５日（パリ条約による優先権主張外国庁受理１９９６年１２月２日、米国、１９９６年１２月２日、米国）を国際出願日とする出願である特願平１０−５２５６７２号の一部を平成１３年２月２３日に新たな特許出願としたものであって、 平成１５年９月８日付けで手続補正がなされ、平成１６年４月１４日付けで拒絶査定がなされたものである。
　本件は、本件出願についてなされた上記拒絶査定を不服として平成１６年７月１６日付けで請求された拒絶査定不服審判であって、平成１６年８月１２日付けで手続補正（明細書又は図面について請求の日から３０日以内にする補正）がなされたものである。
　
２．査定
　平成１６年４月１４日付け拒絶査定の理由は、概略次のようである。
　
　理由
　本願発明は、下記刊行物１に記載された発明に基づいて当業者が容易に発明をすることができたものであるから、特許法第２９条第２項の規定により、特許を受けることができない。
　
　刊行物１：特開平０８−３０６１７０号公報
　
第２．補正の却下の決定
　平成１６年８月１２日付け手続補正（以下、本件補正という）について、次のとおり決定する。
　
［補正の却下の決定の結論］
　平成１６年８月１２日付け手続補正を却下する。
　
［補正の却下の決定の理由］
１．本件補正
　平成１６年８月１２日付け手続補正は、特許請求の範囲の請求項１を次のように補正する補正を含むものである。
　
（補正前の請求項１）
「物理的または論理的に媒体を特徴付ける情報を読取る媒体読取り部と、通信リンクを介して制御情報を受け取る、ビデオ装置を制御する制御部と、前記制御部と前記媒体読取り部との間に設けられた接続部と、を具備し、
　前記制御部は、前記媒体読取り部によって再生された前記媒体を特徴付ける情報を受け取り、前記通信リンクを介して前記媒体を特徴付ける情報を遠隔データベースに伝送し、
　前記遠隔データベースは、前記物理的または論理的に媒体を特徴付ける情報および前記媒体に関連する内容記述情報を含み、
　また、前記制御部は、前記媒体を特徴付ける情報に応じて、前記遠隔データベースから媒体識別情報を受け取り、前記媒体識別情報に対応する文字数字および／または図形情報信号を表示装置に結合するものである、ビデオ装置。」
　
（補正後の請求項１）
「オーディオおよび／またはビデオを提供することができる媒体装置であって、物理的または論理的に媒体を特徴付ける情報を読取る媒体読取り部と、通信リンクを介して制御情報を受け取る、媒体装置を制御する制御部と、前記制御部と前記媒体読取り部との間に設けられた接続部と、を具備し、
　前記制御部は、前記媒体読取り部によって再生された前記媒体を特徴付ける情報を受け取り、前記通信リンクを介して前記媒体を特徴付ける情報を遠隔データベースに伝送し、
　前記遠隔データベースは、前記物理的または論理的に媒体を特徴付ける情報および前記媒体に関連する内容記述情報を含み、
　また、前記制御部は、前記媒体を特徴付ける情報に応じて、前記遠隔データベースから媒体識別情報を受け取り、前記媒体識別情報に対応する文字数字および／または図形情報信号を表示装置に結合し、複数の文字数字および／または図形情報信号が前記媒体識別情報に対応するとき、前記媒体装置は、文字数字および／または図形情報を選択するための選択肢を与え、前記媒体識別情報および対応する文字数字および／または図形情報信号が前記遠隔データベースから受信されないとき、前記媒体装置は、文字数字および／または図形情報信号を入力するための選択肢を与える、媒体装置。」
　
　上記請求項１に係る補正は、次の補正事項を含むものである。
　
（補正事項１）
　補正前には特定されていなかった「オーディオおよび／またはビデオを提供することができる媒体装置であって、」という特定事項を付加し、「ビデオ装置」（補正前）を「媒体装置」（補正後）とする補正。
　
（補正事項２）
　補正前には特定されていなかった「複数の文字数字および／または図形情報信号が前記媒体識別情報に対応するとき、前記媒体装置は、文字数字および／または図形情報を選択するための選択肢を与え」という特定事項を付加する補正。
　
（補正事項３）
　補正前には特定されていなかった「前記媒体識別情報および対応する文字数字および／または図形情報信号が前記遠隔データベースから受信されないとき、前記媒体装置は、文字数字および／または図形情報信号を入力するための選択肢を与える」という特定事項を付加する補正。
　
２．補正の検討
（１）補正の範囲
　上記補正事項２に係る特定事項は、「複数の文字数字および／または図形情報信号が前記媒体識別情報に対応する（とき）」ことを条件として、「文字数字および／または図形情報を選択するための選択肢を与え」るというものであるところ、この補正事項２に係る特定事項を付加する補正が本件出願の願書に最初に添付した明細書又は図面に記載した事項の範囲内においてしたものか検討する。
　
　本件出願の願書に最初に添付した明細書には、複数の対応がある時に選択肢を与えることに関して、次の記載がある。
（願書に最初に添付した明細書の記載）
【００１２】
　本願発明の発明者は、媒体上に記憶されたデータの物理的あるいは論理的配列が、その媒体の内容（すなわち、ビデオのプログラム、オーディオのプログラム、コンピュータのソフトウエア等）の識別に有効であることを知った。媒体上に記憶されたデータの物理的および／または論理的特性の比較的ユニークな（唯一性のある）プロファイル（ｐｒｏｆｉｌｅ）はプログラムデータを含む媒体を検査することによって決定される。次いで、決定されたプロファイルは、例えばデータベースに記憶されたプロファイルと比較される。これらの記憶されたプロファイルは、プログラムの内容、プログラムのソースに関する記述情報と組み合わされ、あるいは関連付けられる。従って、決定されたプロファイルを記憶されたプロファイルと照合（マッチング）させることにより、ユーザはユーザ自身の媒体上に記録されたプログラムに関する記述情報（すなわち、情報内容のインデシア）を検索することができる。
【００１３】
　十分な数の特性を有効に含ませることによって、特定の媒体上に記憶されたデータのプロファイルは比較的ユニークなもの（唯一性のあるもの）となる。記憶されたデータの特性は、一例として、フォーマット、総量、論理的セグメント化（もしあれば）、セグメントの量、例えばセグメント化の境界におけるデータのサンプル、および他の基準を含むことがある。例えば、音楽の記録を含む第１のオーディオ・コンパクトディスク（ＣＤ）の物理的および／または論理的特性のプロファイルは、異なる記録を含む第２のオーディオＣＤのプロファイルと異なる傾向がある。本願発明者は、オーディオ・コンパクトディスクの比較的ユニークなプロファイルはトラック数（Ｎ）および各トラックの長さ（Ｌ）のみを使用して生成されると決定した。他の特性、例えば各トラックの最初および最後の数バイト、ディスクの予め定められた部分のデータのサンプル、あるいはすべてのトラックの全長を含ませることによってプロファイルを一層ユニークなものにすることができる。
【００１４】
　プロファイルの“ユニーク性”はプロファイル中で使用される特性の数が増加するにつれて増大する。しかしながら、たとえ“比較的ユニーク”なプロファイルと一致する幾つかのプロファイルが存在しても、ユーザは正しいと信ずる幾つかのプロファイルのうちのどれかを選択するだけでもよいし、上記幾つかのプロファイルを検索することもできる。また、ユーザは、照合を確実にするためにプロファイル化されたＣＤの追加の特性を幾つかのプロファイルと比較してもよい。この追加のプロファイル化処理は自動化されていてもよく、また必要とするときのみ要求され、これによってメモリおよび時間を節約することができる。
（以上、願書に最初に添付した明細書の記載）
　
　上記記載における【００１４】の「たとえ“比較的ユニーク”なプロファイルと一致する幾つかのプロファイルが存在しても、ユーザは正しいと信ずる幾つかのプロファイルのうちのどれかを選択するだけでもよい」が、複数の対応がある時に選択肢を与えることをいっているところ、この記載は、【００１２】「決定されたプロファイルは、例えばデータベースに記憶されたプロファイルと比較される。」で比較されて、一致する幾つかのプロファイルが存在したときに、その「幾つかのプロファイルのうちのどれかを選択する」ものである。ここで、幾つかのプロファイルが一致することとなる「“比較的ユニーク”なプロファイル」は、「データベースに記憶されたプロファイルと比較される」比較の基となるものであって、データベースに伝送されたものであり、【００１２】「媒体上に記憶されたデータの物理的および／または論理的特性の比較的ユニークな（唯一性のある）プロファイル（ｐｒｏｆｉｌｅ）はプログラムデータを含む媒体を検査することによって決定され」たものである。要するに、１つの質問に複数の答えがあった時に答えを選択するというものである。そして、上記「“比較的ユニーク”なプロファイル」は、請求項１記載の特定事項の「媒体を特徴付ける情報」に対応するものである。
　ところが、上記補正事項２に係る特定事項で複数のもの（文字数字および／または図形情報信号）が対応するとされる「媒体識別情報」は、【請求項１】「前記媒体を特徴付ける情報に応じて、前記遠隔データベースから媒体識別情報を受け取り」とあるように、「媒体を特徴付ける情報」に応じたものであり、「媒体を特徴付ける情報」に応じる答えであるから、上記補正事項２に係る特定事項は、要するに、質問の答えを選択するのではなく、答えに対して更に複数の文字数字および／または図形情報信号が対応する時に、文字数字および／または図形情報信号を選択するというものである。そして、願書に最初に添付した明細書には他に複数の対応がある時に選択肢を与えることに関して記載は無い。
　
　そうすると、上記補正事項２に係る特定事項「複数の文字数字および／または図形情報信号が前記媒体識別情報に対応するとき、前記媒体装置は、文字数字および／または図形情報を選択するための選択肢を与え」は、願書に最初に添付した明細書に記載されていたということができない。また、願書に最初に添付した図面にも対応する記載はなされていない。さらに、願書に最初に添付した明細書又は図面の記載から自明ともいえない。
　
　したがって、上記補正事項２に係る特定事項は本件出願の願書に最初に添付した明細書又は図面に記載が無く、本件補正は本件出願の願書に最初に添付した明細書又は図面に記載した事項の範囲内においてしたものということができないから、本件補正は、特許法第１７条の２第３項の規定に違反してなされたものである。
　
（２）補正の目的
　上記補正事項２および補正事項３は、いずれも「選択肢を与える」ことを追加する補正である。
　補正前の「制御部」は、「前記媒体を特徴付ける情報に応じて、前記遠隔データベースから媒体識別情報を受け取り」「前記媒体識別情報に対応する文字数字および／または図形情報信号を表示装置に結合する」ものであり、この補正前の上記「受け取り」「結合する」という事項の内に上記補正事項２および補正事項３に係る「選択肢を与える」という事項は含まれず、この「選択肢を与える」という事項は「受け取り」「結合する」という事項とは別の事項である。そして、補正前の「ビデオ装置」全体から見ても、補正前の請求項１には「選択肢を与える」という事項を含む事項はない。
　したがって、上記補正事項２および補正事項３は、補正前の請求項に記載した発明を特定するために必要な事項を限定するものとはいえず、特許法第１７条の２第４項第２号に掲げる特許請求の範囲の減縮を目的とするということはできない。
　また、補正前の請求項２から請求項４にも「選択肢を与える」という事項を含む事項はなく、結果的に特許法第１７条の２第４項第１号に掲げる請求項の削除を目的とすることになるということもできない。
　さらに、特許法第１７条の２第４項第３号に掲げる誤記の訂正とも、特許法第１７条の２第４項第４号に掲げる明りようでない記載の釈明ともいうことができない。
　
　よって、上記補正事項２、補正事項３は、特許法第１７条の２第４項第１号から第４号に掲げる事項のいずれをも目的とするということができないから、本件補正は、特許法第１７条の２第４項の規定に違反してなされたものである。
　
３．補正の却下の決定の理由まとめ
　以上、補正の検討のようであるから、本件補正（平成１６年８月１２日付け手続補正）は、特許法第１７条の２第３項の規定に違反してなされたものであり、また、特許法第１７条の２第４項の規定に違反してなされたものであって、特許法１５９条第１項で読み替えて準用する特許法第５３条第１項の規定により却下すべきものである。   
　よって、［補正の却下の決定の結論］のとおり決定する。
　
第３．査定の検討
１．本願発明
　平成１６年８月１２日付け手続補正は上記のとおり却下する。
　本件出願の請求項１から請求項４に係る発明は、本件出願明細書（平成１５年９月８日付けの手続補正により補正された明細書）及び図面の記載からみて、それぞれ、その特許請求の範囲の請求項１から請求項４に記載した事項により特定されるとおりのものであるところ、そのうち、請求項１に係る発明（以下「本願発明」という。）は、下記のとおりである。
　
　　　　　　　　　　　記（本願発明）（再掲）
　物理的または論理的に媒体を特徴付ける情報を読取る媒体読取り部と、通信リンクを介して制御情報を受け取る、ビデオ装置を制御する制御部と、前記制御部と前記媒体読取り部との間に設けられた接続部と、を具備し、
　前記制御部は、前記媒体読取り部によって再生された前記媒体を特徴付ける情報を受け取り、前記通信リンクを介して前記媒体を特徴付ける情報を遠隔データベースに伝送し、
　前記遠隔データベースは、前記物理的または論理的に媒体を特徴付ける情報および前記媒体に関連する内容記述情報を含み、
　また、前記制御部は、前記媒体を特徴付ける情報に応じて、前記遠隔データベースから媒体識別情報を受け取り、前記媒体識別情報に対応する文字数字および／または図形情報信号を表示装置に結合するものである、ビデオ装置。
　
２．刊行物１
　査定で引用された特開平０８−３０６１７０号公報（以下、刊行物１という）には、図面と共に次の記載がある。
　
（刊行物１の記載）
【００１９】先ず、媒体情報検索装置の実施例を第１の実施例として図１を参照しながら説明する。この第１の実施例は、図１に示すように、ディスク収納部１１に複数枚収納されている例えばコンパクトディスクのような複数の光ディスクＤ1，Ｄ2，Ｄ3・・・Ｄnから例えばアルバム名や、曲名等の記録内容情報を検索する光ディスク情報検索装置１０である。この光ディスク情報検索装置１０は、多数の光ディスクの記録内容情報と該多数の光ディスクに予め記録されているそれぞれ固有の識別情報に基づいた媒体識別用の索引情報とを備える情報検索用記録媒体であるデータベース１４を用いて、上記複数の光ディスクＤ1，Ｄ2，Ｄ3・・・Ｄnから上記記録内容情報を検索する。
　
【００２０】この光ディスク情報検索装置１０は、ディスク収納部１１に収納された複数の光ディスクＤ1，Ｄ2，Ｄ3・・・Ｄnに予め記録されているそれぞれ固有の識別情報を固有識別情報読み取り部１２で読み取って、この読み取った固有の識別情報に応じてデータベース１４から上記媒体識別用の索引情報を検出し、この検出した上記媒体識別用の索引情報に対応した上記記録内容情報をデータベース１４から制御手段である検索コントローラ１３が検索する。
　
【００２１】検索コントローラ１３は、固有識別情報読み取り部１２で読み取られた固有識別情報を記憶するランダムアクセスメモリ（以下、ＲＡＭという。）１５と、上記データベース１４と、ＲＡＭ１５に記憶された上記固有識別情報と上記データベース１４に記録されている上記媒体識別用の索引情報との一致を演算により確かめる中央処理部（以下、ＣＰＵという。）１６とを備え、該媒体識別用の索引情報に対応した上記記録内容情報を上記データベース１４から検索する。検索コントローラ１３が検索した上記記録内容情報は、例えばグラフィックコントローラのような表示コントローラ１７を介して例えばディスプレイのような表示部１８に表示される。
　
【００２２】データベース１４としては、半導体メモリよりなるリードオンリーメモリ（以下、ＲＯＭという。）や、ＣＤ−ＲＯＭが用いられる。例えばＲＯＭとした場合のデータベース１４内の各ファイルの模様を図２に示す。また、個々のファイル内の様子を図３に示す。
　
【００２３】なお、このデータベース１４は、多数の光ディスクの記録内容情報と、該多数の光ディスクに予め記録されている固有の識別情報が高速検索形態とされた媒体識別用の索引情報とを備えてなり、上記本発明に係る情報検索用記録媒体の具体例となる。
　
【００２４】先ず、図２に示すように、このデータベース１４内の各ファイルＦ1、Ｆ2は、光ディスクのリードイン部分に記録されているＴＯＣ（Table of Contents）情報を媒体識別用の索引情報とし、アルバム名、演奏者名、曲名のような記録内容情報の前部に配置してなる。ファイルＦ1とファイルＦ2は、ファイルの終了を示す認識コードＥＯＦ（エンドオブファイルの略）で区切られている。
　
【００２５】ここで、周知であるＴＯＣ情報について説明しておく。コンパクトディスクのような光ディスクにおいて、データを記録する際のフォーマットは、ディスクの内側から外側に向かって、プログラム管理領域であるＴＯＣ領域、プログラム領域、いわゆるリードアウトと呼ばれるプログラム終了領域とから構成されている。このコンパクトディスクでは、上記プログラム領域に少なくとも一つ以上の音楽データのプログラムが記録され、この音楽データのプログラム毎の時間情報及び全プログラムの全時間情報等が上記ＴＯＣ領域のＴＯＣ情報で管理される。すなわち、コンパクトディスクのような光ディスクでは、上記ＴＯＣ領域の上記ＴＯＣ情報で上記プログラム領域の音楽データのプログラム毎の時間情報及び全プログラムの全時間情報等を管理している。このＴＯＣ情報は、各光ディスク毎に固有の情報である。したがって、コンパクトディスクのような光ディスクでは、ＴＯＣ情報を各ディスクの固有識別情報とすることができる。
　
【００２６】次に、データベース１４内のファイルの中身の詳細な構成について、図３を用い、ファイルＦ1を例として説明する。図３において、アルバム名、演奏者名、曲名等の記録内容情報は、記録内容情報領域２７内に記録されている。また、上記ＴＯＣ情報は、ＴＯＣ情報領域２８に記録されている。ＴＯＣ情報は、上述したように、各光ディスクに固有のものであるために、各ディスクの固有識別情報となる。この例では、固有識別情報であるＴＯＣ情報をそのまま媒体識別用の索引情報としている。ＴＯＣ情報は元々２値化データであるため、ＣＰＵ１６での検索が高速で行える。このようなデータベース１４を用いて、光ディスク情報検索装置１０は、ディスク収納部１１に収納された複数の光ディスクＤ1，Ｄ2，Ｄ3・・・Ｄnの記録内容情報を検索する。
　
【００２７】ここで、データベース１４は、図４に示すような構成でもよい。すなわち、媒体識別用の索引情報となるＴＯＣ情報だけをまとめてＴＯＣ情報領域に配置し、ＴＯＣ情報の終了後に記録内容情報をまとめて記録内容情報領域に配置してもよい。上記ＴＯＣ情報記録領域と上記記録内容情報領域は、逆にしてもよい。どちらの場合も、各ＴＯＣ情報と各記録内容情報が１対１の関係で認識できることが必要である。
　
【００３１】そして、ＣＰＵ１６の演算により、各ＴＯＣ情報Ｔ1，Ｔ2，Ｔ3・・・Ｔnに一致する上記媒体識別用の索引情報があるとされると、データべース１４から、その索引情報に対応する記録内容情報が検索され、ＲＡＭ１５上に各ＴＯＣ情報Ｔ1，Ｔ2，Ｔ3・・・Ｔnと共に記録される。この記録内容情報のＲＡＭ１６への記録は、ディスク収納部１１内に収納されたディスクの収納位置を示す収納位置番号にも対応させて行われる。
　
【００３２】各ＴＯＣ情報Ｔ1，Ｔ2，Ｔ3・・・Ｔnと共に上記収納位置番号と対応して、ＲＡＭ１６上に記録された上記記録内容情報は、表示コントローラ１７の制御により表示部１８に上記収納位置番号に対応するように表示される。
　
【００３３】このように、表示部１８にはディスク収納部１１に収納された複数の光ディスクＤ1，Ｄ2，Ｄ3・・・Ｄnの記録内容情報が上記収納位置番号と共に表示されるので、使用者は、ディスク収納部１１に無作為に収納した複数の光ディスクＤ1,D2，Ｄ3・・・Ｄnがどのような光ディスクであるかを容易に知ることができる。
　
【００３４】なお、この光ディスク情報検索装置１０では、内蔵のデータベース１４を用いているが、例えばネットワークにより接続される外部のデータベースを用いてもよい。
　
【００３５】また、この光ディスク情報検索装置１０では、データベース１４に記録される固有の識別情報をＴＯＣ情報としたが、単に演奏時間にかかわる文字情報等を固有の識別情報としてもよい。ただし、この場合の固有の識別情報は、ＲＡＭ１５上のＴＯＣ情報と比較される場合、高速検索形態の媒体識別用索引情報に展開されることが望ましい。これは、ＲＡＭ１５にはあくまでもディスク収納部１１に収納されている光ディスクＤ1，Ｄ2，Ｄ3・・・ＤnのＴＯＣ情報が固有識別情報読み取り部１２により読み出されて格納され、このＴＯＣ情報を基にデータベース１４から上記記録内容情報を検索するからであり、文字情報のままではＴＯＣ情報と比較できないからである。
　
【００３６】次に、再生制御装置及び再生システムの実施例の第２の実施例について説明する。この第２の実施例は、例えばｎ枚の光ディスクから、一枚を選択的に再生するようなディスクチェンジャープレーヤシステムである。このディスクチェンジャープレーヤシステムは、図７に示すように、例えばｎ枚のように複数の光ディスクを収納し選択的に再生を行う選択再生装置３０と、この選択再生装置３０の再生処理を制御する再生制御装置５０とからなる。
　
【００３７】再生制御装置５０は、多数の記録媒体の記録内容情報と、該多数の記録媒体に予め記録されているそれぞれ固有の識別情報が高速検索形態とされた媒体識別用の索引情報とを備える情報検索用記録媒体、すなわちデータベースであるＲＯＭ５１ｂを用いて、選択再生装置３０で行われる再生処理を自動的に制御する。
　
【００３８】選択再生装置３０は、収納したｎ枚の光ディスクＤ1，Ｄ2，Ｄ3・・・Ｄnから読み出したそれぞれ固有の識別情報であるＴＯＣ情報を送信する送信手段であるコントローラ３９を備えている。
　
【００３９】また、再生制御装置５０は、コントローラ３９から送信されたそれぞれ固有のＴＯＣ情報を読み取ってこの読み取ったＴＯＣ情報に応じてデータベース５１ｂから上記媒体識別用の索引情報を検出し、この検出した上記媒体識別用の索引情報に対応した記録内容情報を検索する媒体情報検索制御手段と、この媒体情報検索制御手段が検索した上記記録内容情報を記憶する記憶手段であるＲＡＭ５１ｃと、このＲＡＭ５１ｃが記憶した上記記録内容情報を表示する表示部６０と、この表示部６０で表示される上記記録内容情報に対して選択操作を行う選択操作用コマンダ６１と、この選択操作用コマンダ６１で選択された上記記録内容情報に対応する光ディスクを再生させるように、選択再生装置３０に対してコマンド信号を送信する再生制御手段とを備える。ここで、上記媒体情報検索制御手段と上記再生制御手段は、同一のコントローラ５１である。
　
【００４０】先ず、選択再生装置３０の詳細な構成を説明する。複数ｎ枚のディスクＤ1〜Ｄnは、ディスク収納部３１に収納される。各ディスクＤ1〜Ｄnは、それぞれ搬送機構３２によって選択的に取り出され、ディスクＤxとして再生位置にローディングされる。ローディングされたディスクＤxは、チャッキングされた後、スピンドルモータ（ＳＰＭ）３３によって回転駆動される。ＳＰＭ３３によって回転されたディスクＤxには、光ヘッド３４からレーザ光が照射される。
　
【００４１】この光ヘッド３４は、回転されているディスクＤxに対してレーザ光を照射し、ディスクＤxに記録されている情報を読み取る。光ヘッド３４によって読み取られた情報は再生処理部３６に供給される。再生処理部３６はまず光ヘッド３４のディテクタ出力の演算処理により再生データとなるＲＦ信号、トラッキングエラー信号、フォーカスエラー信号等を生成する。
　
【００５３】次に、再生制御装置５０の詳細な構成を説明する。コントローラ５１は、コントローラ３９から送信された上記ＴＯＣ情報を記憶するＲＡＭ５１ｃと、上記データベースとなるＲＯＭ５１ｂと、ＲＡＭ５１ｃに記憶された上記ＴＯＣ情報とＲＯＭ５１ｂに記録されている上記媒体識別用の索引情報との一致を演算により確かめるＣＰＵ５１ａとを備える。ＲＯＭ５１ｂであるデータベースは、上記図２及び４に示すように構成されている。
　
【００５６】コントローラ５１がＲＯＭ５１ｂから読みだした記録内容情報は、ＣＰＵ５１ａでのアドレス制御により、ＲＡＭ５１ｃに書き込まれる。このＲＡＭ５１ｃには、入力部５２からユーザが入力した文字表示情報も書き込まれる。さらに、このＲＡＭ５１ｃには、コントローラ３９から送信された上記プログラム属性情報に関するＴＯＣ情報もＣＰＵ５１ａのアドレス制御により記憶される。上記プログラム属性情報は、上述したような媒体識別用の索引情報に頼らなくてもプログラム属性情報付き光ディスクから直接検索できる。
　
【００５７】ＲＡＭ５１ｃが記憶した上記記録内容情報や、上記プログラム属性情報は、グラフィックコントローラ５４の制御により、表示部６０に表示される。また、グラフィックコントローラ５４は、入力端子５８からの外部映像入力信号として例えばＴＶチューナからの映像信号やレーザディスクからの映像信号をバイパスさせて表示部６０に供給し、映像出力とするほか、各種キャラクタ映像をこれらの映像に重畳させて表示させることもできる。さらに、コントローラ５１の画面内での位置指定に応じてポインタ６２となる映像を表示させることができる。
　
【００５９】この再生制御装置５０では、上記データベースをＲＯＭ５１ｂとしたが、ＣＤ−ＲＯＭ５５を専用に用いてもよい。さらに、ネット５６を介して接続される外部データベースを用いてもよい。
　
【００６７】すると、コントローラ５１は、図８に示すように、ステップＳ５に進み、ＲＯＭ５１ｂで探した索引情報に対応する記録内容情報を再配置してから表示部６０に表示する。
　
【００６８】このステップＳ５も、図１１のように分けることができる。すなわち、コントローラ５１は、ステップＳ３０に示すように、ＲＯＭ５１ｂのファイルＦ1の記録内容情報にポインタを移す。そして、ステップＳ３１でＲＯＭ５１ｂのファイルＦ1のＥＯＦを検出するまで、ステップＳ３３に示すようにファイルＦ1の記録内容情報をステップＳ３５のようにＲＯＭ５１ｂ上のポインタをインクリメントしながらグラフィックコントローラ５４へ転送する。ステップＳ３１でＥＯＦを検出したと判断したときには、ステップＳ３２に示すようにＲＯＭ５１ｂのファイルＦ1の記録内容情報がグラフィックコントローラ５４を介して表示部６０に表示されたので、次のディスクの記録内容情報の検索処理を開始する。この記録内容情報の検索処理は、ステップＳ３４に示すように、ＲＡＭ５１ｃ上でＥＯＤを検出するまで行われる。すなわち、ＥＯＤが検出されるまで、図１０のステップＳ２１からの処理が繰り返され、表示部６０に全ての光ディスクＤ1，Ｄ2，Ｄ3・・・Ｄn分の記録内容情報が表示される。なお、この記録内容情報の表示は、図１２に示すように、ディスク収納位置番号及びＴＯＣ情報と共に、ＲＡＭ５１ｃ上に再配置されてから行われる。
　
【００６９】次に、コントローラ５１では、図８に示すステップＳ６のように、表示部６０上から選択操作用コマンダ６１で再生したい光ディスクの記録内容情報が選択される。そして、コントローラ５１は、ステップＳ７に示すように、選択操作用コマンダ６１で選択された記録内容情報に対応する光ディスクの収納位置番号を選択再生装置３０に出力する。
　
【００７５】一方、プログラム属性情報が記録されていないとなると、ステップＳ４５に示すように、ＲＡＭ５１ｃが記憶したＴＯＣ情報に該当する索引情報をＲＯＭ５１ｂ上で探す。すると、コントローラ５１は、ステップＳ４６に進み、ＲＯＭ５１ｂで探した索引情報に対応する記録内容情報を再配置してから表示部６０に表示する。
　
【００７８】また、本発明に係る再生制御装置及び再生システムの実施例は、図１４に示すようなディスクチェンジャープレーヤシステム７０でもよい。すなわち、再生制御装置７２がディスプレイ７２ｂを備えたパーソナルコンピュータ７２ａとされ、ネットで接続された外部データベース７３を用いて、選択再生装置７１の再生処理を制御するようなシステムでもよい。
　
【００７９】また、上記固有の識別情報としては、例えばプログラム内のデータの頭の部分となるようなリードインから特定の数百ビットを用いてもよい。
　
【００８１】また、記録媒体となる光ディスクとしては、コンパクトディスクの他、ビデオディスク、ＣＤ−ＲＯＭ等のメディアも、ディスク毎に異なった固有の認識情報を持つものであれば、取り扱うことができる。
（以上、刊行物１の記載）
　
３．対比
（１）（ビデオ装置）
　刊行物１には「記録媒体となる光ディスクとしては、・・ビデオディスク・・も、・・取り扱うことができる。」（【００８１】）とあり、刊行物１記載の装置はビデオディスクを取り扱うことができ、本願発明同様に「ビデオ装置」ということができる。
　
（２）（物理的または論理的に媒体を特徴付ける情報）
　刊行物１記載の「固有の識別情報」は、これを光ディスクから読み取って、その光ディスクに対応するアルバム名、演奏者名、曲名等の記録内容情報をデータベースから得るものであり、対応する媒体識別情報をデータベースから受け取るものである本願発明の「物理的または論理的に媒体を特徴付ける情報」に対応するものである。
　そして、本件出願明細書には、本願発明の「物理的または論理的に媒体を特徴付ける情報」の例として、「媒体の種類、データの種類、データをセグメント化（区分）あるいはセパレート（分離）する方法、すべてのデータセグメントの大きさ、データの総量あるいはデータを担持する媒体の物理的な寸法」（【０００６】）、「オーディオＣＤのトラック数および各トラックに対する演奏時間」（【０００７】）、「フォーマット、総量、論理的セグメント化（もしあれば）、セグメントの量、例えばセグメント化の境界におけるデータのサンプル、および他の基準」（【００１３】）、「トラック数（Ｎ）および各トラックの長さ（Ｌ）」（【００１３】）、「各トラックの最初および最後の数バイト、ディスクの予め定められた部分のデータのサンプル、あるいはすべてのトラックの全長」（【００１３】）、「トラック（歌）の数、各トラックの長さ（動作（ラン：ｒｕｎ）時間）」（【００１８】）、「各トラックの最初の数バイト、各トラックの最後の数バイト、媒体の予め定められた部分のデータのサンプル、あるいはすべてのトラックの全長」（【００１８】）、「同じトラックについて数秒の違い」（【００３３】）、「トラック長、トラック上に記憶された実際のデータ、データのチェックサム等」（【００３３】）、「歌全体がディスクから削除される」（【００３３】）、「各トラックの最初あるいは最後の数バイトあるいはディスクの予め定められた部分におけるデータのサンプル」（【００３４】）、「トラック数のような特性」（【００３５】）、「特定のトラックの長さ」（【００３５】）、「ディスクのプレス工程間の僅かな変化（例えば、トラック長）」（【００３５】）、「カラーサンプリング、Ｈｉ−Ｆｉ（ハイファイ）オーディオエンコードあるいはサラウンド音声サンプル、カテゴリ／サブカテゴリ、プログラム記述、等のようなビデオ固有の情報あるいはレーザーディスク固有の情報」（【００４１】）が挙げられており、「これらの特性は、例えばディスクを読出すことによって周知の態様で決定される。」（【００１８】）と説明されている。
　刊行物１には、固有識別情報読み取り部１２で読み取る光ディスクの「固有の識別情報」として、「このコンパクトディスクでは、上記プログラム領域に少なくとも一つ以上の音楽データのプログラムが記録され、この音楽データのプログラム毎の時間情報及び全プログラムの全時間情報等が上記ＴＯＣ領域のＴＯＣ情報で管理される。すなわち、コンパクトディスクのような光ディスクでは、上記ＴＯＣ領域の上記ＴＯＣ情報で上記プログラム領域の音楽データのプログラム毎の時間情報及び全プログラムの全時間情報等を管理している。このＴＯＣ情報は、各光ディスク毎に固有の情報である。したがって、コンパクトディスクのような光ディスクでは、ＴＯＣ情報を各ディスクの固有識別情報とすることができる。」（【００２５】）、「ＴＯＣ情報は、上述したように、各光ディスクに固有のものであるために、各ディスクの固有識別情報となる。この例では、固有識別情報であるＴＯＣ情報をそのまま媒体識別用の索引情報としている。」（【００２６】）、「また、この光ディスク情報検索装置１０では、データベース１４に記録される固有の識別情報をＴＯＣ情報としたが、単に演奏時間にかかわる文字情報等を固有の識別情報としてもよい。」（【００３５】）、「上記固有の識別情報としては、例えばプログラム内のデータの頭の部分となるようなリードインから特定の数百ビットを用いてもよい。」（【００７９】）と説明されている。
　本願発明の「物理的または論理的に媒体を特徴付ける情報」は、上記のように種々の具体例が説明されているところ、その中に「トラック上に記憶された実際のデータ」（【００３３】）、「各トラックの最初あるいは最後の数バイトあるいはディスクの予め定められた部分におけるデータのサンプル」（【００３４】）が挙げられており、この「トラック上に記憶された実際のデータ」（【００３３】）、「各トラックの最初あるいは最後の数バイトあるいはディスクの予め定められた部分におけるデータのサンプル」（【００３４】）も本願発明では「物理的または論理的に媒体を特徴付ける情報」というものであると認められるところ、刊行物１においては、「上記固有の識別情報としては、例えばプログラム内のデータの頭の部分となるようなリードインから特定の数百ビットを用いてもよい。」（【００７９】）とあって、この「特定の数百ビット」は「実際のデータ」「データのサンプル」といえるものであるから、刊行物１記載の「固有の識別情報」も本願発明同様に「物理的または論理的に媒体を特徴付ける情報」ということができる。
　したがって、刊行物１記載の「固有の識別情報」は、本願発明の「物理的または論理的に媒体を特徴付ける情報」に相当する。
　
（３）（媒体読み取り部）
　刊行物１には「ディスク収納部１１に収納された複数の光ディスクＤ1，Ｄ2，Ｄ3・・・Ｄnに予め記録されているそれぞれ固有の識別情報を固有識別情報読み取り部１２で読み取って、この読み取った固有の識別情報に応じてデータベース１４から上記媒体識別用の索引情報を検出し、この検出した上記媒体識別用の索引情報に対応した上記記録内容情報をデータベース１４から制御手段である検索コントローラ１３が検索する。」（【００２０】）、「選択再生装置３０は、収納したｎ枚の光ディスクＤ1，Ｄ2，Ｄ3・・・Ｄnから読み出したそれぞれ固有の識別情報であるＴＯＣ情報を送信する送信手段であるコントローラ３９を備えている。」（【００３８】）とあり、固有識別情報読み取り部１２、コントローラ３９は本願発明の「媒体読み取り部」に相当する。
　
（４）（制御部）（その１）
　刊行物１記載の検索コントローラ１３、コントローラ５１は、光ディスク情報検索装置１０（図１）、ディスクチェンジャーシステム（図７）を制御しているものであり、本願発明の「ビデオ装置を制御する制御部」に相当する。
　刊行物１には、「この光ディスク情報検索装置１０では、内蔵のデータベース１４を用いているが、例えばネットワークにより接続される外部のデータベースを用いてもよい。」（【００３４】）、「この再生制御装置５０では、上記データベースをＲＯＭ５１ｂとしたが、（・・中略・・）ネット５６を介して接続される外部データベースを用いてもよい。」（【００５９】）、「本発明に係る再生制御装置及び再生システムの実施例は、図１４に示すようなディスクチェンジャープレーヤシステム７０でもよい。すなわち、再生制御装置７２がディスプレイ７２ｂを備えたパーソナルコンピュータ７２ａとされ、ネットで接続された外部データベース７３を用いて、選択再生装置７１の再生処理を制御するようなシステムでもよい。」（【００７８】）とあって、刊行物１記載の検索コントローラ１３、コントローラ５１は、ネットワーク、ネットにより外部のデータベースに接続されるものであり、外部のデータベースから記録内容情報を受け取るものであるから、刊行物１記載の検索コントローラ１３、コントローラ５１は、「通信リンクを介して情報を受け取る」ということができる。
　本願発明は「通信リンクを介して制御情報を受け取る、ビデオ装置を制御する制御部」と特定されているところ、この「通信リンクを介して」「受け取る」「制御情報」は、この文言から、「制御部」が「ビデオ装置を制御する」ための「制御情報」と解することができる。
　本件出願明細書および図面には、制御部１２５が通信リンク１４５を介して制御情報を受け取ることに関して、「通信リンク（１４５）を介して制御情報を受け取る、ビデオ装置を制御する制御部（１２５）」（平成１５年９月８日付けで補正された【００１６】）とあり、発明の実施の形態の中では、通信リンク（１４５）を介して情報受け取ることに関して、または、通信リンク（１４５）を介して受け取る情報として、次の記載がある。
（明細書の記載）
「生の（ｒａｗ）プロファイルデータ」（【００２２】）
「プログラムに関連する記述情報」（【００２３】）
「記述情報」（【００２４】【００２９】【００３０】）
「図３のフローチャートは、ジュークボックス１００の制御部１２５で使用するのに適した非識別（ｕｎｉｄｅｎｔｉｆｉｅｄ）ＣＤに関連する記述情報を得るのに適した方法３００を示す。この方法はアップロードされたプロファイルのデータを処理するために遠隔データベースのプロバイダによっても利用される。」（【００２５】）
「プロファイルに一致するオーディオＣＤに関連する記述情報」（【００２５】）
「エラーメッセージ」（【００２６】）
「ユーザに応答を促す」「（例えば、“サーチの継続？”、“新しいパラメータを付加？”）」（【００２６】）
「ユーザに対して適当なエラーマージンのデータを促す」（【００２６】）
「もしプロファイルが変更されなければ、媒体がアクセスされ（ステップ３９０）、何らかの付加特性が決定されてプロファイルのデータベースに組み込まれる。」（【００２７】）
「図４は図１のジュークボックス１００で使用するのに適した“自動プログラミング”法のフローチャートを示す。非識別媒体に関連する記述情報を得るための上述の方法３００は、図４の自動プログラミング法に組み込まれている。」（【００２９】）
「ユーザには例えば分類リスト（例えば、アーチストあるいはトラックのアルファベット順のリスト）あるいはグループ分けされたリスト（例えば、クラシック、ラップ（ｒａｐ）ミュージック、ジャズ、ロック（軽快）、ロック（その他）等の音楽の形式、カテゴリ）が提供される。」（【００３２】）
「ＣＤについてダウンロードされた情報には、別の操作方法（例えば、あるクラシック音楽を演奏せよ）として使用することができる、あるいは“ランダム演奏”の特徴を補足するために使用することができるカテゴリ情報（例えば、クラシック、ラップミュージック、ジャズ、ロック（軽快））を含ませることもできる。」（【００３２】）
「適切な記述情報」（【００３６】）
（以上、明細書の記載）
　これらの記載の内、「エラーメッセージ」（【００２６】）、「ユーザに応答を促す」「（例えば、“サーチの継続？”、“新しいパラメータを付加？”）」（【００２６】）、「ユーザに対して適当なエラーマージンのデータを促す」（【００２６】）は、ユーザに対して処理遂行のためにメッセージを表示させ、応答要求をさせる情報、であると解することができ、そのような情報は「制御情報」ということができる。記述情報等（カテゴリ情報等）はデータベースに求めた結果の回答であり、これらの回答が制御をするものとはいえないから、「制御情報」ということはできない。
　そうすると、上記したようなユーザに対するメッセージを表示させ、応答要求をさせる情報も本願発明では「通信リンクを介して」「受け取る」「制御情報」というと解することができる。
　刊行物１記載の検索コントローラ１３、コントローラ５１は、上記したように「通信リンクを介して情報を受け取る」ということができるものであるが、受け取る情報は記録内容情報であって、この記録内容情報は、本願発明の記述情報等に相当するから、上記したように、「制御情報」ということはできない。
　したがって、刊行物１記載の検索コントローラ１３、コントローラ５１は「通信リンクを介して情報を受け取る、ビデオ装置を制御する制御部」という点で本願発明の制御部に相当するが、通信リンクを介して受け取る情報に関して、刊行物１記載の検索コントローラ１３、コントローラ５１は受け取る情報が「制御情報」ではないことに対して、本願発明においては受け取る情報が「制御情報」である点で相違する。
　
（５）（媒体読み取り部、接続部、制御部）
　刊行物１には「ディスク収納部１１に収納された複数の光ディスクＤ1，Ｄ2，Ｄ3・・・Ｄnに予め記録されているそれぞれ固有の識別情報を固有識別情報読み取り部１２で読み取って、この読み取った固有の識別情報に応じてデータベース１４から上記媒体識別用の索引情報を検出し、この検出した上記媒体識別用の索引情報に対応した上記記録内容情報をデータベース１４から制御手段である検索コントローラ１３が検索する。」（【００２０】）（図１参照）とあり、ディスク収納部１１と検索コントローラ１３との間には固有識別情報読み取り部１２が設けられている。また、「このディスクチェンジャープレーヤシステムは、図７に示すように、例えばｎ枚のように複数の光ディスクを収納し選択的に再生を行う選択再生装置３０と、この選択再生装置３０の再生処理を制御する再生制御装置５０とからなる。」（【００３６】）、「選択再生装置３０は、収納したｎ枚の光ディスクＤ1，Ｄ2，Ｄ3・・・Ｄnから読み出したそれぞれ固有の識別情報であるＴＯＣ情報を送信する送信手段であるコントローラ３９を備えている。」（【００３８】）、「コントローラ３９から送信されたそれぞれ固有のＴＯＣ情報を読み取ってこの読み取ったＴＯＣ情報に応じてデータベース５１ｂから上記媒体識別用の索引情報を検出し、この検出した上記媒体識別用の索引情報に対応した記録内容情報を検索する媒体情報検索制御手段」（【００３９】）、「ここで、上記媒体情報検索制御手段と上記再生制御手段は、同一のコントローラ５１である。」（【００３９】）、「複数ｎ枚のディスクＤ1〜Ｄnは、ディスク収納部３１に収納される。各ディスクＤ1〜Ｄnは、それぞれ搬送機構３２によって選択的に取り出され、ディスクＤxとして再生位置にローディングされる。」（【００４０】）、「光ヘッド３４によって読み取られた情報は再生処理部３６に供給される。」（【００４１】）（図７参照）とあり、ディスク収納部３１を含む再生手段とコントローラ５１との間にはコントローラ３９が設けられている。
　本件出願の図１には、媒体“積層部（ｓｔａｃｋ：スタック）”１０５と媒体読取り部（リーダ）１１５と制御部１２５とが接続された関係が図示されており、本件出願明細書には、
「【００１６】
【課題を解決するための手段】
　物理的または論理的に媒体（１０５−１〜１０５−Ｎ）を特徴付ける情報を読取る媒体読取り部（１０５）と、
　通信リンク（１４５）を介して制御情報を受け取る、ビデオ装置を制御する制御部（１２５）と、
　前記制御部と前記媒体読取り部との間に設けられた接続部（１１５）と、を具備し、
　前記制御部は、前記媒体読取り部によって再生された前記媒体を特徴付ける情報を受け取り、前記通信リンクを介して前記媒体を特徴付ける情報を遠隔データベース（１５５）に伝送し、
　前記遠隔データベースは、前記物理的または論理的に媒体を特徴付ける情報および前記媒体に関連する内容記述情報を含み、
　また、前記制御部は、前記媒体を特徴付ける情報に応じて、前記遠隔データベースから媒体識別情報を受け取り、前記媒体識別情報に対応する文字数字および／または図形情報信号を表示装置（１８４）に結合するものである、ビデオ装置。」（平成１５年９月８日付けで補正されたもの）
「【００１８】
　媒体“積層部（ｓｔａｃｋ：スタック）”１０５には、オーディオ、ビデオ、あるいは他のプログラム情報を記憶した１あるいはそれ以上の媒体１０５−１乃至１０５−Ｎが含まれている。媒体積層部１０５は媒体読取り部（リーダ）１１５に結合されており、該媒体読取り部（リーダ）は積層部中の任意の媒体を選択して媒体上に記憶されたプログラム情報を読取ることができる。媒体読取り部は制御部１２５によって制御される。」
と記載されていて、媒体読取り部（リーダ）１１５（【００１８】）を接続部（１１５）（【００１６】）とも説明しており、本願発明の媒体読み取り部と接続部と制御部との関係である「前記制御部と前記媒体読取り部との間に設けられた接続部」は、図１に図示された上記関係をいうものであるから、刊行物１記載のディスク収納部１１（本件出願の媒体“積層部（ｓｔａｃｋ：スタック）”１０５に相当）と固有識別情報読み取り部１２（本件出願の媒体読取り部（リーダ）１１５に相当）と検索コントローラ１３との関係、ディスク収納部３１を含む再生手段（本件出願の媒体“積層部（ｓｔａｃｋ：スタック）”１０５に相当）とコントローラ３９（本件出願の媒体読取り部（リーダ）１１５に相当）とコントローラ３９との関係は、本件出願の図１に図示された上記関係に相当し、本願発明の「前記制御部と前記媒体読取り部との間に設けられた接続部」という関係に相当する。
　
（６）（制御部）（その２）
　刊行物１記載の検索コントローラ１３、コントローラ５１は、固有識別情報読み取り部１２、コントローラ３９が読み出した「固有の識別情報」を受け取っている。このことは、本願発明の「前記制御部は、前記媒体読取り部によって再生された前記媒体を特徴付ける情報を受け取り」に相当する。
　また、刊行物１記載の検索コントローラ１３、コントローラ５１は、「固有の識別情報」に基づき、データベース１４、データベース５１ｂから記録内容情報を得るものであり、上記したように段落【００３４】【００５９】【００７８】記載のように、データベース１４、データベース５１ｂをネットワーク、ネットを介した外部データベースとした時、ネットワーク、ネットを介して外部データベースに「固有の識別情報」を送るものである。この外部データベースは、本願発明の「遠隔データベース」に相当するから、このことは、本願発明の「前記制御部は、前記通信リンクを介して前記媒体を特徴付ける情報を遠隔データベースに伝送し」に相当する。
　
（７）（データベース）
　上記したように、刊行物１の段落【００３４】【００５９】【００７８】の記載から、刊行物１には、データベース１４、データベース５１ｂを外部データベースとすることが記載されており、この外部データベースは、本願発明の「遠隔データベース」に相当する。
　刊行物１記載のデータベースは、データベース１４について、図２、図３、図４、段落【００２２】〜【００２７】記載のように、固有の識別情報としてのＴＯＣ情報とアルバム名、演奏者名、曲名のような記録内容情報とを含んでいる。データベース５１ｂについては、段落【００３７】【００５３】【００５６】、図２、図４の記載から、固有の識別情報と記録内容情報とを含んでいる。そして、これらデータベース１４、データベース５１ｂを外部データベースとするのだから、外部データベースも固有の識別情報と記録内容情報とを含んでいる。
　上記したように、刊行物１記載の「固有の識別情報」は本願発明の「物理的または論理的に媒体を特徴付ける情報」に相当する。
　本願発明で特定する「媒体に関連する内容記述情報」は、本件出願明細書に「ユーザが例えばオーディオＣＤやレーザーディスクからの内容に関する記述情報を含ませたい場合は、ユーザはデータを手動で入力することになる。例えば、オーディオＣＤのトラック数および各トラックの長さを識別して、この情報をハードディスクに記憶させるコンピュータのＣＤ−ＲＯＭ読取り装置（ＣＤ−ＲＯＭリーダ）を利用したコンピュータ・プログラムは周知である。不都合なことに、ユーザはオーディオＣＤのタイトルおよび曲名を手動でタイプして入力しなければならない。その後タイトルおよび曲名が記憶される。」（【０００３】）、「従って、ユーザの介入を必要とすることなく媒体の内容に関する記述情報を得ることができれば望ましいことが判った。また、簡単にオンスクリーン（ｏｎ−ｓｃｒｅｅｎ）表示できる形式で上記のような内容記述データを提供できることが望ましい。」（【０００４】）とあるところの、ユーザが含ませたい「内容に関する記述情報」（【０００３】）、得ることができれば望ましい「媒体の内容に関する記述情報」（【０００４】）に対応する情報であって、オーディオＣＤのタイトルおよび曲名を含むものである。
　刊行物１記載のデータベース１４、データベース５１ｂが含んでいる「記録内容情報」はアルバム名、演奏者名、曲名を含んでいることから、本願発明の遠隔データベースが含むところの「媒体に関連する内容記述情報」に相当する。
　そうすると、刊行物１記載の外部データベースが固有の識別情報と記録内容情報とを含んでいることは、本願発明の「前記遠隔データベースは、前記物理的または論理的に媒体を特徴付ける情報および前記媒体に関連する内容記述情報を含み」に相当する。
　
（８）（制御部）（その３）
　刊行物１記載の検索コントローラ１３、コントローラ５１は、データベース１４、データベース５１ｂから、固有の識別情報を基に検索した記録内容情報を得ており、固有の識別情報に応じて記録内容情報を受け取るということができる。そして、上記したようにデータベース１４、データベース５１ｂは外部データベースとできるから、刊行物１記載の検索コントローラ１３、コントローラ５１は、固有の識別情報に応じて外部データベースから記録内容情報を受け取るものということができる。
　本願発明では「前記制御部は、前記媒体を特徴付ける情報に応じて、前記遠隔データベースから媒体識別情報を受け取り」と特定しており、「媒体識別情報」はその文言から媒体を識別する情報である。そして、その「媒体識別情報」を「遠隔データベースから」「受け取」るのであるから、遠隔データベースを接続する通信リンクを介して受け取るものである。通信リンク（１４５）を介して情報受け取ることに関して、または、通信リンク（１４５）を介して受け取る情報として、上記（４）（制御部）（その１）で述べた記載が本件出願明細書にはある。
　これらの内、「エラーメッセージ」（【００２６】）、「ユーザに応答を促す」「（例えば、“サーチの継続？”、“新しいパラメータを付加？”）」（【００２６】）、「ユーザに対して適当なエラーマージンのデータを促す」（【００２６】）は、媒体を識別するとはいえず、本願発明の「媒体識別情報」ということはできない。しかし、これら以外の「プログラムに関連する記述情報」（【００２３】）、「プロファイルに一致するオーディオＣＤに関連する記述情報」（【００２５】）は、上記（７）（データベース）で述べたように、ユーザが含ませたい「内容に関する記述情報」（【０００３】）、得ることができれば望ましい「媒体の内容に関する記述情報」（【０００４】）に対応する情報であって、オーディオＣＤのタイトルおよび曲名を含む情報であり、タイトル、曲名等によって媒体を識別できるから、本願発明で「媒体識別情報」というものであると解することができる。
　刊行物１記載の検索コントローラ１３、コントローラ５１がデータベース１４、データベース５１ｂから受け取る「記録内容情報」は、上記したようにアルバム名、演奏者名、曲名を含んでいて、アルバム名、曲名等で媒体を識別することができるから、本願発明の制御部が遠隔データベースから受け取る「媒体識別情報」にも相当する。
　そうすると、刊行物１記載の検索コントローラ１３、コントローラ５１が、データベース１４、データベース５１ｂから、固有の識別情報を基に検索した記録内容情報を得ていることは、本願発明の「前記制御部は、前記媒体を特徴付ける情報に応じて、前記遠隔データベースから媒体識別情報を受け取り」に相当する。
　
（９）（表示）
　刊行物１の記載「検索コントローラ１３が検索した上記記録内容情報は、例えばグラフィックコントローラのような表示コントローラ１７を介して例えばディスプレイのような表示部１８に表示される。」（【００２１】）、「データべース１４から、その索引情報に対応する記録内容情報が検索され、ＲＡＭ１５上に各ＴＯＣ情報Ｔ1，Ｔ2，Ｔ3・・・Ｔnと共に記録される。」（【００３１】）、「各ＴＯＣ情報Ｔ1，Ｔ2，Ｔ3・・・Ｔnと共に上記収納位置番号と対応して、ＲＡＭ１６上に記録された上記記録内容情報は、表示コントローラ１７の制御により表示部１８に上記収納位置番号に対応するように表示される。」（【００３２】）、「表示部１８にはディスク収納部１１に収納された複数の光ディスクＤ1，Ｄ2，Ｄ3・・・Ｄnの記録内容情報が上記収納位置番号と共に表示される」（【００３３】）、「コントローラ５１がＲＯＭ５１ｂから読みだした記録内容情報は、ＣＰＵ５１ａでのアドレス制御により、ＲＡＭ５１ｃに書き込まれる。」（【００５６】）、「ＲＡＭ５１ｃが記憶した上記記録内容情報や、上記プログラム属性情報は、グラフィックコントローラ５４の制御により、表示部６０に表示される。」（【００５７】）、「コントローラ５１は、図８に示すように、ステップＳ５に進み、ＲＯＭ５１ｂで探した索引情報に対応する記録内容情報を再配置してから表示部６０に表示する。」（【００６７】）（図８参照）、「コントローラ５１は、ステップＳ３０に示すように、ＲＯＭ５１ｂのファイルＦ1の記録内容情報にポインタを移す。そして、ステップＳ３１でＲＯＭ５１ｂのファイルＦ1のＥＯＦを検出するまで、ステップＳ３３に示すようにファイルＦ1の記録内容情報をステップＳ３５のようにＲＯＭ５１ｂ上のポインタをインクリメントしながらグラフィックコントローラ５４へ転送する。ステップＳ３１でＥＯＦを検出したと判断したときには、ステップＳ３２に示すようにＲＯＭ５１ｂのファイルＦ1の記録内容情報がグラフィックコントローラ５４を介して表示部６０に表示されたので、次のディスクの記録内容情報の検索処理を開始する。（・・中略・・）すなわち、ＥＯＤが検出されるまで、図１０のステップＳ２１からの処理が繰り返され、表示部６０に全ての光ディスクＤ1，Ｄ2，Ｄ3・・・Ｄn分の記録内容情報が表示される。」（【００６８】）（図１１参照）、「コントローラ５１は、ステップＳ４６に進み、ＲＯＭ５１ｂで探した索引情報に対応する記録内容情報を再配置してから表示部６０に表示する。」（【００７５】）（図１３参照）から、刊行物１記載の検索コントローラ１３、コントローラ５１は、記録内容情報を表示部１８、表示部６０に表示している。そして、「表示部６０上から選択操作用コマンダ６１で再生したい光ディスクの記録内容情報が選択される。そして、コントローラ５１は、ステップＳ７に示すように、選択操作用コマンダ６１で選択された記録内容情報に対応する光ディスクの収納位置番号を選択再生装置３０に出力する。」（【００６９】）とあって、この表示により、対応する光ディスクが選択される。
　
　本願発明は、「前記制御部は、」「前記媒体識別情報に対応する文字数字および／または図形情報信号を表示装置に結合する」としている。本件出願明細書で文字数字および／または図形情報の表示に関して、具体的には、「テキスト」「アイコンのような図形表示（グラフィカル表示）」として、
「【００４２】
　局部データベース２３５は、オンスクリーン・プログラムセレクタのデータベースとして使用できることに注目することが重要である。この場合、局部データベース２３５は、選択用情報のオンスクリーン表示用の生のデータ源として制御部２２５で使用される。制御部２２５は生のデータを処理して所望のＯＳＤ信号を形成し、次いでこのＯＳＤ信号は転送ユニット１２０に送られて表示すしようとするデータストリーム中に挿入される。
【００４３】
　生のデータをテキストとして単純に表示させることは確かに可能であるが、グラフィックス指向の技法によればデータをより楽しく可視表示させることができる。従って、制御部２２５はオブジェクト（ｏｂｊｅｃｔ）を構成し、これらのオブジェクトを生のデータに接続する。オブジェクトは単に情報の表示であり、おそらくはアップル社のマッキントッシュ（Ａｐｐｌｅ（登録商標）Ｍａｃｉｎｔｏｓｈ（登録商標）あるいはマイクロソフト社のウインドウズ（Ｍｉｃｒｏｓｏｆｔ（登録商標）Ｗｉｎｄｏｗｓ（登録商標）で使用されている馴染みのあるアイコンのような図形表示（グラフィカル表示）である。この場合、表示される情報は将来放送されるテレビジョン番組であるか、あるいは局部媒体のプレーヤを介してアクセスされる局部媒体（例えば、オーディオＣＤ、レーザーディスク、ＤＡＴ等）に記憶されたビデオあるいはオーディオプログラムである。制御部２２５はオブジェクトを表示させるために転送ユニット１２０に送る。視聴者は、例えば遠隔制御装置のカーソルキーを使用してオンスクリーン表示内で各オブジェクトを操作することにより、オンスクリーン表示から直ぐに見るための番組、あるいは後刻見るための番組、あるいは記録するための番組を選択する。」
と記載されていることから、本願発明の「文字数字および／または図形情報信号を表示装置に結合する」は、文字数字および／または図形情報のＯＳＤ信号、オブジェクトを形成して文字数字および／または図形の表示を行うことをいうものである。そして、表示される文字数字および／または図形は、「媒体識別情報に対応する」のであって、この表示により、視聴者が媒体を識別できるものであるから、本願発明の「前記媒体識別情報に対応する文字数字および／または図形情報信号を表示装置に結合する」は、「前記媒体識別情報」を「対応する文字数字および／または図形」で「表示装置」で表示することと解することができる。
　
　そうすると、刊行物１記載の検索コントローラ１３、コントローラ５１が、記録内容情報を表示部１８、表示部６０に表示することは、視聴者が媒体を識別できるよう表示するという意味で本願発明の「前記制御部は、」「前記媒体識別情報に対応する文字数字および／または図形情報信号を表示装置に結合する」ことに対応する。
　しかし、刊行物１記載の検索コントローラ１３、コントローラ５１は、記録内容情報（本願発明の「媒体識別情報」に相当）を表示するものの、どのように表示をするのか不明である。
　
　したがって、刊行物１記載の検索コントローラ１３、コントローラ５１も、本願発明も、「前記媒体識別情報」を「表示装置」で表示する点で一致し、刊行物１記載の検索コントローラ１３、コントローラ５１がどのように表示をするのか不明であるところ、本願発明が「前記媒体識別情報に対応する文字数字および／または図形情報信号を表示装置に結合する」として表示をする点で相違する。
　
４．一致点、相違点
　上記対比によると、刊行物１に記載された発明（以下、刊行物１発明という）と本願発明との一致点、相違点は次のようである。
　
［一致点］
物理的または論理的に媒体を特徴付ける情報を読取る媒体読取り部と、
通信リンクを介して情報を受け取る、ビデオ装置を制御する制御部と、
前記制御部と前記媒体読取り部との間に設けられた接続部と、
を具備し、
前記制御部は、
前記媒体読取り部によって再生された前記媒体を特徴付ける情報を受け取り、
前記通信リンクを介して前記媒体を特徴付ける情報を遠隔データベースに伝送し、
前記遠隔データベースは、
前記物理的または論理的に媒体を特徴付ける情報および前記媒体に関連する内容記述情報を含み、
また、
前記制御部は、
前記媒体を特徴付ける情報に応じて、前記遠隔データベースから媒体識別情報を受け取り、
前記媒体識別情報を表示する
ものである、ビデオ装置。
　
［相違点１］
　本願発明では、制御部が通信リンクを介して受け取る情報が「制御情報」であることに対して、刊行物１発明では、情報は受け取るものの「制御情報」ではない点。
　
［相違点２］
　本願発明では、前記媒体識別情報の表示を「前記媒体識別情報に対応する文字数字および／または図形情報信号を表示装置に結合する」ことで行っていることに対し、刊行物１発明では、どのように表示をするのか不明である点。
　
５．判断
（１）相違点１の判断
　刊行物１記載のネットワーク、ネットを介した外部データベースとの接続ではデータベースの検索が行われるのであるところ、一般にネットワーク等を介した通信による接続やデータベースの検索では、通信の目的とする内容の情報や検索結果の情報だけでなく、通信や検索処理に係る処理遂行のためのメッセージや応答要求等の各種制御情報が返されて、それにより、例えばエラー対応や応答入力のための制御等を行うことは慣用技術であるから、刊行物１記載のネットワーク、ネットを介した外部データベースとの接続でのデータベースの検索においても、そのような慣用技術を採用して、ネットワーク、ネットを介して制御情報も受け取るようにすることは、当業者が適宜になし得たことであって、相違点１に係る本願発明の構成である制御部が通信リンクを介して受け取る情報を「制御情報」とすることは、当業者が容易に想到できたことである。
　
（２）相違点２の判断
　情報を表示装置に表示する時、本件出願明細書記載のように、ＯＳＤ信号を用いること、アイコンのような図形表示（グラフィカル表示）であるオブジェクトを用いることは、慣用技術であるから、刊行物１記載の記録内容情報を表示部１８、表示部６０に表示する際に、そのような慣用技術を採用することは当業者が適宜なし得たことであって、相違点２に係る本願発明の構成である「前記制御部は、」「前記媒体識別情報に対応する文字数字および／または図形情報信号を表示装置に結合する」とすることは、当業者が容易に想到できたことである。
　
（３）総合
　上記のように、相違点１および相違点２に係る本願発明の構成はそれぞれ当業者が容易に想到できたことであるが、これらを総合しても、その効果は当業者が予測できたものであり、本願発明は刊行物１に記載された発明および慣用技術に基づいて当業者が容易に発明することができたものである。
　
６．まとめ
　以上のとおりであるから、本件出願の請求項１に係る発明（本願発明）は、刊行物１に記載された発明および慣用技術に基づいて当業者が容易に発明することができたものであって、特許法第２９条第２項の規定により特許を受けることができない。
　それ故、本件出願の他の請求項である請求項２から請求項４について検討するまでもなく、本件出願は拒絶すべきものである。
　よって、結論のとおり審決する。